【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
液体トナーを貯留する貯留部と、
前記貯留部に配された光透過窓と、
前記貯留部に配されるとともに、光を反射させる反射部を有する回動部材と、
反射型フォトセンサと、
前記反射型フォトセンサの信号により液体トナー濃度を検知する検知手段と、を有することを特徴とする液体トナー濃度検出装置。
【請求項２】
前記回動部材は第１の曲率を有し、前記貯留部は、前記回動部材の第１の曲率はと異なる第２の曲率となる内壁部を有し、前記回動部材と前記内壁部との近接部に前記光透過窓を配する請求項１に記載の液体トナー濃度検出装置。
【請求項３】
液体トナーを貯留する貯留部と、
前記貯留部に配された光透過窓と、
光を反射させる反射部を有する回動部材と、
現像ローラと、
反射型フォトセンサと、
前記反射型フォトセンサの信号により液体トナー濃度を検知する検知手段と、を有することを特徴とする液体現像装置。
【請求項４】
前記回動部材は、前記貯留部に配され、アニロックスローラに液体トナーを供給する汲み上げローラである請求項３に記載の液体現像装置。
【請求項５】
前記回動部材は凹部および凸部を有するとともに、現像ローラに当接して液体トナーを供給するアニロックスローラである請求項３に記載の液体現像装置。
【請求項６】
感光体と、
液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、
コンクトナー貯留部と、
前記コンクトナー貯蔵部と前記貯留部を連通するコンクトナー供給路と、
キャリア液貯蔵部と、
前記キャリア液貯蔵部と前記貯留部を連通するキャリア供給路と、
を有することを特徴する画像形成装置。
【請求項７】
感光体と、
液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、
コンクトナー貯留部と、
前記コンクトナー貯蔵部と前記貯留部を連通するコンクトナー供給路と、
キャリア液貯蔵部と、
前記キャリア液貯蔵部と前記貯留部を連通するキャリア供給路と、
を有する画像形成装置に用いられる液体トナー濃度の制御方法であって、
前記反射型フォトセンサにより得られた信号を所定時間サンプリングするサンプリング工程、
前記サンプリング工程で得られた値が予め定められた値を超えた回数をカウントするカウント工程と、
前記カウント工程でカウントされた回数と所定の回数とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、
を有する液体トナー濃度の濃度制御方法。
【請求項８】
感光体と、
液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、
コンクトナー貯留部と、
前記コンクトナー貯蔵部と前記貯留部を連通するコンクトナー供給路と、
キャリア液貯蔵部と、
前記キャリア液貯蔵部と前記貯留部を連通するキャリア供給路と、
を有する画像形成装置に用いられる液体トナー濃度の制御方法であって、
前記反射型フォトセンサにより得られた信号を所定時間間隔でサンプリングするサンプリング工程、
前記サンプリング工程で得られた値を平均化する平均化工程と、
前記平均化工程で得られた値と予め定められた値とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、
を有する液体トナー濃度の濃度制御方法。
【請求項９】
感光体と、
液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、
コンクトナー貯留部と、
前記コンクトナー貯蔵部と前記貯留部を連通するコンクトナー供給路と、
キャリア液貯蔵部と、
前記キャリア液貯蔵部と前記貯留部を連通するキャリア供給路と、
を有する画像形成装置に用いられる液体トナー濃度の制御方法であって、
前記反射型フォトセンサにより得られた信号を予め定められた値との差分を計算する計算工程と、
前記計算工程で得られた差分値を所定時間積分する積分工程と、
前記積分工程で得られた値と予め定められた値とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有する液体トナー濃度の濃度制御方法。
【手続補正２】
【補正対象書類名】明細書
【補正対象項目名】発明の名称
【補正方法】変更
【補正の内容】
【発明の名称】液体トナー濃度検出装置、液体現像装置、画像形成装置及び液体トナー濃度の制御方法
【手続補正３】
【補正対象書類名】明細書
【補正対象項目名】０００１
【補正方法】変更
【補正の内容】
【０００１】
本発明は、感光層に静電潜像が形成された感光体の現像処理に用いられる液体トナーのトナー粒子の濃度を検出する液体トナー濃度検出装置、液体現像装置、画像形成装置及び液体トナー濃度の制御方法に関する。
【手続補正４】
【補正対象書類名】明細書
【補正対象項目名】０００９
【補正方法】変更
【補正の内容】
【０００９】
本第１発明は、前記課題を解決するために、液体トナー濃度検出装置において、液体トナーを貯留する貯留部と、前記貯留部に配された光透過窓と、前記貯留部に配されるとともに、光を反射させる反射部を有する回動部材と、反射型フォトセンサと、前記反射型フォトセンサの信号により液体トナー濃度を検知する検知手段と、を有することを特徴とする。
【手続補正５】
【補正対象書類名】明細書
【補正対象項目名】００１０
【補正方法】変更
【補正の内容】
【００１０】
本第２発明は、本第１発明の液体トナー濃度検出装置において、前記回動部材は第１の曲率を有し、前記貯留部は、前記回動部材の第１の曲率はと異なる第２の曲率となる内壁部を有し、前記回動部材と前記内壁部との近接部に前記光透過窓を配するものである。
【手続補正６】
【補正対象書類名】明細書
【補正対象項目名】００１１
【補正方法】変更
【補正の内容】
【００１１】
本第３発明は、液体現像装置において、液体トナーを貯留する貯留部と、前記貯留部に配された光透過窓と、光を反射させる反射部を有する回動部材と、現像ローラと、反射型フォトセンサと、前記反射型フォトセンサの信号により液体トナー濃度を検知する検知手段と、を有することを特徴とする。
【手続補正７】
【補正対象書類名】明細書
【補正対象項目名】００１２
【補正方法】変更
【補正の内容】
【００１２】
本第４発明は、本第３発明の液体現像装置において、前記回動部材は、前記貯留部に配され、アニロックスローラに液体トナーを供給する汲み上げローラである。
【手続補正８】
【補正対象書類名】明細書
【補正対象項目名】００１３
【補正方法】変更
【補正の内容】
【００１３】
本第５発明は、本第３発明の液体現像装置において、前記回動部材は凹部および凸部を有するとともに、現像ローラに当接して液体トナーを供給するアニロックスローラである。
【手続補正９】
【補正対象書類名】明細書
【補正対象項目名】００１４
【補正方法】変更
【補正の内容】
【００１４】
本第６発明は、画像形成装置において、感光体と、液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、コンクトナー貯留部と、前記コンクトナー貯蔵部と前記貯留部を連通するコンクトナー供給路と、キャリア液貯蔵部と、前記キャリア液貯蔵部と前記貯留部を連通するキャリア供給路と、を有することを特徴する。
【手続補正１０】
【補正対象書類名】明細書
【補正対象項目名】００１５
【補正方法】変更
【補正の内容】
【００１５】
本第７発明は、液体トナー濃度の濃度制御方法において、感光体と、液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、コンクトナー貯留部と、前記コンクトナー貯蔵部と前記貯留部を連通するコンクトナー供給路と、キャリア液貯蔵部と、前記キャリア液貯蔵部と前記貯留部を連通するキャリア供給路と、を有する画像形成装置に用いられる液体トナー濃度の制御方法であって、前記反射型フォトセンサにより得られた信号を所定時間サンプリングするサンプリング工程、前記サンプリング工程で得られた値が予め定められた値を超えた回数をカウントするカウント工程と、前記カウント工程でカウントされた回数と所定の回数とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものである。
【手続補正１１】
【補正対象書類名】明細書
【補正対象項目名】００１６
【補正方法】変更
【補正の内容】
【００１６】
本第８発明は、液体トナー濃度の濃度制御方法において、感光体と、液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、コンクトナー貯留部と、前記コンクトナー貯蔵部と前記貯留部を連通するコンクトナー供給路と、キャリア液貯蔵部と、前記キャリア液貯蔵部と前記貯留部を連通するキャリア供給路と、を有する画像形成装置に用いられる液体トナー濃度の制御方法であって、前記反射型フォトセンサにより得られた信号を所定時間間隔でサンプリングするサンプリング工程、前記サンプリング工程で得られた値を平均化する平均化工程と、前記平均化工程で得られた値と予め定められた値とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものであり、本第９発明は、液体トナー濃度の濃度制御方法において、感光体と、液体トナーを貯留する貯留部、前記貯留部に配された光透過窓、光を反射させる反射部を有する回動部材、現像ローラ、反射型フォトセンサ、及び前記反射型フォトセンサの信号により液体トナー濃度を検知する検知手段を有する液体現像装置と、
コンクトナー貯留部と、前記コンクトナー貯蔵部と前記貯留部を連通するコンクトナー供給路と、キャリア液貯蔵部と、前記キャリア液貯蔵部と前記貯留部を連通するキャリア供給路と、を有する画像形成装置に用いられる液体トナー濃度の制御方法であって、前記反射型フォトセンサにより得られた信号を予め定められた値との差分を計算する計算工程と、前記計算工程で得られた差分値を所定時間積分する積分工程と、前記積分工程で得られた値と予め定められた値とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものである。